(57)【要約】      （修正有）【課題】ノズルの吐水口を介して流路内に侵入することで洗浄水に混入した菌をも殺菌することができる衛生洗浄装置を提供する。【解決手段】給水源から供給された洗浄水をノズルに導く導水部と、ノズルを進退させるノズル駆動部と、洗浄水に紫外線を照射する紫外線照射部４６０と、を備え、紫外線照射部４６０は、吐水口４７４ａ,４７４ｂ、４７４ｃから吐水された洗浄水に対して紫外線を照射する。【選択図】図６
2019056249.tif 000002
【特許請求の範囲】
【請求項１】
ノズルの吐水口から人体局部へ向けて洗浄水を吐水する衛生洗浄装置であって、
給水源から供給された洗浄水を前記ノズルに導く導水部と、
前記ノズルを進退させるノズル駆動部と、
洗浄水に紫外線を照射する紫外線照射部と、
を備え、
前記紫外線照射部は、前記吐水口から吐水された洗浄水に対して紫外線を照射することを特徴とする衛生洗浄装置。
【請求項２】
前記紫外線照射部は、前記ノズルに設けられており、前記ノズルの進退に連動して進退することを特徴とする請求項１記載の衛生洗浄装置。
【請求項３】
前記導水部は、前記ノズルに向かう複数の流路を有しており、
前記吐水口は、前記複数の流路と夫々連通する複数の吐水口を有しており、
前記紫外線照射部からの紫外線の照射は、前記複数の吐水口から吐水された洗浄水に対して１箇所から照射されるものであることを特徴とする請求項２記載の衛生洗浄装置。  
【請求項４】
前記ノズルは、前記複数の吐水口から吐水された洗浄水と干渉しないように前記ノズルを覆うノズルカバーが設けられ、
前記ノズルと前記ノズルカバーとの間に前記紫外線照射部が設けられていることを特徴とする請求項３記載の衛生洗浄装置。
【発明の詳細な説明】
【技術分野】
【０００１】
本発明は、ノズルの吐水口から人体局部へ向けて洗浄水を吐水する衛生洗浄装置に関する。
【背景技術】
【０００２】
従来、衛生洗浄装置の洗浄水として使用される水道水では、病気や腐敗を起こす可能性のある菌（微生物）を塩素によって殺菌することで死滅又は不活性化させることが行われている。しかしながら、塩素の混入のみで水道水中に含まれる菌を完全に取り除けるわけではない。
このため、衛生洗浄装置では、洗浄水に紫外線を照射する紫外線照射部を設置し、該設置位置を流路切替部よりも上流側に設けることで、複数の吐水口のどの吐水口から吐水される洗浄水においても、洗浄水に含まれる菌をより低減することが提案されている。（例えば、特許文献１）
【先行技術文献】
【特許文献】
【０００３】
【特許文献１】特開２０１６−１８６１７６号公報
【発明の概要】
【発明が解決しようとする課題】
【０００４】
しかしながら、特許文献１の構成では、空気中に浮遊している菌が、ノズルの吐水口を介して流路内に侵入することで洗浄水中に混入する恐れがあるという点において洗浄水中に含まれる菌を提言するという観点で改善の余地があった。
【０００５】
本発明は、前記課題を解決するためになされたものであり、ノズルの吐水口を介して流路内に侵入することで洗浄水に混入した菌をも除菌できる衛生洗浄装置を提供することを目的としている。
【課題を解決するための手段】
【０００６】
前記目的を達成するために請求項１記載の衛生洗浄装置においては、ノズルの吐水口から人体局部へ向けて洗浄水を吐水する衛生洗浄装置であって、給水源から供給された洗浄水を前記ノズルに導く導水部と、前記ノズルを進退させるノズル駆動部と、洗浄水に紫外線を照射する紫外線照射部と、を備え、前記紫外線照射部は、前記吐水口から吐水された洗浄水に対して紫外線を照射することを特徴としている。
このように、紫外線照射部からの紫外線をノズルの吐水口から吐水された洗浄水に照射させることで、給水源から供給されてきた洗浄水中に含まれている菌だけでなく、ノズルの吐水口を介して流路内に侵入することで洗浄水に混入した菌をも除菌することができる。
従って、人体洗浄時には紫外線の照射によりノズルの吐水口から吐水された洗浄水が除菌され、常に清潔な洗浄水で人体を洗浄することができ衛生上好ましい。
【０００７】
また、請求項２記載の衛生洗浄装置においては、前記紫外線照射部は、前記ノズルに設けられており、前記ノズルの進退に連動して進退することを特徴としている。
このように、紫外線照射部もノズルの進退に連動して進退するため、ノズルの進退によらず、常にノズルの吐水口から吐水される洗浄水に対して一定の紫外線強度で紫外線を照射することができる。
従って、ノズルの進退によらず常に一定の紫外線強度で洗浄水中に含まれる菌を除菌することができるため、例えば、人体洗浄のためノズルを前進させた人体洗浄時に限らず、ノズル洗浄のためノズルを前進させずノズルの吐水口から吐水された洗浄水でノズルを自己洗浄する際にも、除菌された洗浄水を利用することができる。
【０００８】
また、請求項３記載の衛生洗浄装置においては、前記導水部は、前記ノズルに向かう複数の流路を有しており、前記吐水口は、前記複数の流路と夫々連通する複数の吐水口を有しており、前記紫外線照射部からの紫外線の照射は、前記複数の吐水口から吐水された洗浄水に対して１箇所から照射されるものであることを特徴としている。
このように、紫外線照射部は、複数の吐水口のうち、どの吐水口から吐水が行われた場合であっても吐水された洗浄水に対して紫外線の照射をすることが可能であり、洗浄水を除菌することができる。
従って、複数の流路から吐水される洗浄水に対して、それぞれに紫外線照射部を設ける必要がない。
【０００９】
また、請求項４記載の衛生洗浄装置においては、前記ノズルは、前記複数の吐水口から吐水された洗浄水と干渉しないように前記ノズルを覆うノズルカバーが設けられ、前記ノズルと前記ノズルカバーとの間に前記紫外線照射部が設けられていることを特徴としている。
このように、紫外線照射部はノズルカバーに覆われているので、外部から汚れが付着することを防止できる。また、紫外線照射部に外部から水がかかることを抑制でき、紫外線照射部の故障を防ぐことができる。
【発明の効果】
【００１０】
本発明によれば、紫外線照射部からの紫外線をノズルの吐水口から吐水された洗浄水に照射させることで、給水源から供給されてきた洗浄水中に含まれている菌だけでなく、ノズルの吐水口を介して流路内に侵入することで洗浄水に混入した菌をも除菌することができる。
従って、人体洗浄時には紫外線の照射によりノズルの吐水口から吐水された洗浄水が除菌され、常に清潔な洗浄水で人体を洗浄することができ衛生上好ましい。
【図面の簡単な説明】
【００１１】
【図１】本発明の実施形態における衛生洗浄装置を備えたトイレ装置を表す斜視模式図である。
【図２】本発明の実施形態における衛生洗浄装置の要部構成を表すブロック図である。
【図３】本発明の実施形態における衛生洗浄装置の動作の具体例を例示するタイミングチャートである。
【図４】図４（ａ）および図４（ｂ）は、本発明の実施形態におけるノズルユニットを示す斜視図である。
【図５】図４に示すノズルユニットからノズルを取り出したときの該ノズルを示す斜視図である。
【図６】本発明の実施形態におけるノズルの模式断面図である。
【発明を実施するための形態】
【００１２】
以下、本発明の実施の形態について図面を参照しつつ説明する。なお、各図面中、同様
の構成要素には同一の符号を付して詳細な説明は適宜省略する。  
はじめに、衛生洗浄装置及びこれを備えたトイレ装置の全体構成について以下に説明する。
【００１３】
図１は、本発明の実施形態における衛生洗浄装置を備えたトイレ装置を表す斜視模式
図である。
図１に表したように、トイレ装置は、洋式腰掛便器（以下説明の便宜上、単に「便器」
と称する）８００と、その上に設けられた衛生洗浄装置１００と、を備える。衛生洗浄装
置１００は、ケーシング４００と、便座２００と、便蓋３００と、を有する。便座２００
と便蓋３００とは、ケーシング４００に対して開閉自在にそれぞれ軸支されている。
【００１４】
ケーシング４００の内部には、便座２００に座った使用者の「おしり」などの局部洗浄を実現する身体洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えばリモコンなどの操作部５００を操作すると、洗浄ノズル（以下説明の便宜上、単に「ノズル」と称する）４７３を便器８００のボウル８０１内に進出させることができる。なお、図１に表した衛生洗浄装置１００では、ノズル４７３がボウル８０１内に進出した状態を表している。
【００１５】
ノズル４７３は、人体局部に向けて水Ｗを吐出し、人体局部の洗浄を行う。ノズル４７３の先端部には、ビデ洗浄吐水口４７４ａ及びおしり洗浄吐水口４７４ｃ、やわらか洗浄吐水口４７４ｂが設けられている。ノズル４７３は、その先端に設けられたビデ洗浄吐水口４７４ａから水Ｗを噴射して、便座２００に座った女性の女性局部を洗浄することができる。あるいは、ノズル４７３は、その先端に設けられたおしり洗浄吐水口４７４ｃや、やわらか洗浄吐水口４７４ｂから水を噴射して、便座２００に座った使用者の「おしり」を洗浄することができる。なお、本願明細書において「水」という場合には、冷水のみならず、加熱されたお湯も含むものとする。
【００１６】
なお、図１に表したノズル４７３では、ノズル４７３の先端側からビデ洗浄吐水口４７４ａ、おしり洗浄吐水口４７４ｃ、やわらか洗浄吐水口４７４ｂとの位置関係になっているが、それぞれの設置の位置関係は、これだけに限定されるわけではない。
また、図１に表したノズル４７３では、３つの吐水口が設けられているが、２または４つ以上の吐水口が設けられていてもよい。
【００１７】
図２は、本発明の実施形態における衛生洗浄装置の要部構成を表すブロック図である。図２では、水路系と電気系の要部構成を併せて表している。  
図２に表したように、衛生洗浄装置１００は、水道や貯水タンクなどの給水源１０からノズル４７３に至る導水部２０を有する。つまり、導水部２０は、給水源１０から供給された水Ｗをノズル４７３に導く。導水部２０は、例えば、以下に説明する電磁弁４３１、熱交換器４４０、流路切替部４７２などの各部と、これらの各部を接続する複数の配管と、によって形成される。
【００１８】
導水部２０の上流側には、電磁弁４３１が設けられている。電磁弁４３１は、開閉可能な電磁バルブであり、ケーシング４００の内部に設けられた制御部４０５からの指令に基づいて水Ｗの供給を制御する。電磁弁４３１を開状態にすることにより、給水源１０から供給された水Ｗが、電磁弁４３１より下流側の導水部２０に流れる。
【００１９】
電磁弁４３１の下流には、熱交換器４４０が設けられている。熱交換器４４０は、給水源１０から供給された水Ｗを加熱して例えば規定の温度まで昇温する。すなわち、熱交換器４４０は、温水を生成する。
【００２０】
熱交換器４４０は、制御部４０５と接続されている。制御部４０５は、例えば、使用者による操作部５００の操作に応じて熱交換器４４０を制御することにより、操作部５００で設定された温度に水Ｗを昇温する。
【００２１】
熱交換器４４０の下流には、流量センサ４４２が設けられている。流量センサ４４２は、熱交換器４４０から吐出された水Ｗの流量を検知する。すなわち、流量センサ４４２は、導水部２０内を流れる水の流量を検知する。流量センサ４４２は、制御部４０５に接続されている。流量センサ４４２は、流量の検知結果を制御部４０５に入力する。
【００２２】
流量センサ４４２の下流には、流量調整部４７１が設けられている。流量調整部４７１は、水勢（流量）の調整を行う。水勢（流量）の調整は、例えば、使用者の操作部５００への水勢変更操作により制御部４０５にて制御される。
【００２３】
流量調整部４７１の下流には、流路切替部４７２が設けられている。流路切替部４７２は、ノズル４７３やノズル洗浄室４７８への給水の開閉や切替を行う。流量調整部４７１及び流路切替部４７２は、１つのユニットとして設けてもよい。流量調整部４７１及び流路切替部４７２は、制御部４０５に接続されている。流量調整部４７１及び流路切替部４７２の動作は、制御部４０５によって制御される。
【００２４】
流路切替部４７２の下流には、ノズルユニット４８０が設けられている。ノズルユニット４８０は、ノズル４７３と、ノズル洗浄室４７８と、ノズルモータ４７６と、を有している。
【００２５】
ノズル４７３は、ノズルモータ（ノズル駆動部）４７６からの駆動力を受け、便器８００のボウル８０１内に進出したり後退したりする。つまり、ノズルモータ４７６は、制御部４０５からの指令に基づいてノズル４７３を進退させる。ノズル４７３の進退に関する詳細な動作機構については、後述する。
【００２６】
ノズル４７３には、紫外線照射部４６０が設けられている。紫外線照射部４６０は、ノズル４７３から吐水された水Ｗに紫外線Ｓを照射する。紫外線照射部４６０は、紫外線Ｓの照射により、ノズル４７３から吐水された水Ｗに含まれる菌の少なくとも一部を死滅又は不活性化させる。これにより、紫外線照射部４６０は、ノズル４７３から吐水された水Ｗに含まれる生きた菌を減らす。つまり、紫外線照射部４６０は、紫外線Ｓの照射により、洗浄水を殺菌する。紫外線照射部４６０は、不図示の配線により制御部４０５に接続されている。紫外線照射部４６０は、制御部４０５による制御に基づいて、紫外線Ｓの照射を行う。
また、紫外線照射部４６０はノズル４７３に設けられているため、ノズル４７３の進退動作に連動して紫外線照射部４６０も進退する。
【００２７】
このように、紫外線照射部４６０からの紫外線Ｓをノズル４７３から吐水された洗浄水に照射させることで、給水源から供給されてきた水Ｗの中に含まれている菌だけでなく、ノズル４７３の吐水口を介して流路内に侵入することで水Ｗに混入した菌をも殺菌することができる。
また、紫外線照射部４６０もノズル４７３の進退に連動して進退するため、ノズル４７３の進退によらず、常にノズル４７３の吐水口から吐水される洗浄水に対して一定の紫外線強度で紫外線Ｓを照射することができる。
従って、ノズル４７３の進退によらず常に一定の紫外線強度で水Ｗに含まれる菌を殺菌することができるため、例えば、人体洗浄のためノズルを前進させた人体洗浄時に限らず、ノズル洗浄のためノズルを前進させずノズル４７３の吐水口から吐水された水Ｗでノズル４７３を自己洗浄する際にも、殺菌した洗浄水を利用することができる。
【００２８】
紫外線照射部４６０は、発光素子により、ノズル４７３から吐水された水Ｗに紫外線Ｓを照射する。発光素子の照射する紫外線Ｓの波長は、例えば、２００ｎｍ以上４００ｎｍ以下である。好ましくは、２５０ｎｍである。これにより、ノズル４７３から吐水された水に含まれる菌を適切に減らすことができる。発光素子は、ＬＥＤ（Light Emitting Diode）である。発光素子は、ＬＥＤに限ることなく、例えば、ＬＤ（Laser Diode）やＯＬＥＤ（Organic Light Emitting Diode）などでもよい。
【００２９】
ノズル洗浄室４７８は、その内部に設けられた吐水部から水Ｗを噴射することにより、ノズル４７３の外周表面（胴体）を洗浄する。
【００３０】
導水部２０は、流路として、給水路２０ａと、おしり洗浄流路２１と、やわらか洗浄流路２２と、ビデ洗浄流路２３と、表面洗浄流路２４と、を有しており、流路切替部４７２より上流側には給水路２０ａが、流路切替部４７２より下流側にはおしり洗浄流路２１と、やわらか洗浄流路２２と、ビデ洗浄流路２３と、表面洗浄流路２４と、が設けられている。
【００３１】
おしり洗浄流路２１と、やわらか洗浄流路２２と、ビデ洗浄流路２３と、は給水路２０ａを介して給水源１０から供給された水Ｗをそれぞれノズル４７３に設けられたおしり洗浄吐水口４７４ｃ、やわらか洗浄吐水口４７４ｂ、ビデ洗浄吐水口４７４ａ、へ導く。
【００３２】
表面洗浄流路２４は、給水路２０ａを介して給水源１０から供給された水をノズル洗浄室４７８の吐水部へ導く。
【００３３】
制御部４０５は、流路切替部４７２を制御することにより、おしり洗浄流路２１、やわらか洗浄流路２２、ビデ洗浄流路２３、表面洗浄流路２４と、の各流路の開閉を切り替える。このように、流路切替部４７２は、おしり洗浄吐水口４７４ｃ、やわらか洗浄吐水口４７４ｂ、ビデ洗浄吐水口４７４ａ、及び、ノズル洗浄室４７８などの複数の吐水口のそれぞれについて、給水路２０ａに連通させた状態と、給水路２０ａに連通させない状態と、を切り替える。
【００３４】
制御部４０５は、電源回路４０１から電力を供給され、流量センサ４４２や、操作部５００などからの信号に基づいて、電磁弁４３１や、熱交換器４４０や、紫外線照射部４６０や、流量調整部４７１や、流路切替部４７２や、ノズルモータ４７６などの動作を制御する。
【００３５】
次に、本発明の実施形態における衛生洗浄装置１００の動作の具体例について、図面を参照しつつ説明する。  
図３は、本発明の実施形態における衛生洗浄装置の動作の具体例を例示するタイミングチャートである。  
図３に表したように、着座検知センサ４０４が使用者を検知する前の待機状態では、ノ
ズル４７３は、ケーシング４００に収納されている（タイミングｔ０〜ｔ１）。
【００３６】
人体検知センサ４０３がトイレ室に入室した使用者を検知すると、制御部４０５は、電磁弁４３１を開くとともに、噴霧ノズル（図示せず）のみを給水路２０ａに連通させるように流路切替部４７２を駆動することにより、水をボウル８０１の表面に噴霧する（タイミングｔ１）。水が噴霧される時間は、例えば約４秒間程度である（タイミングｔ１〜ｔ２）。このように、使用者が便器８００を使用する前に、ボウル８０１の表面を濡らすことで、ボウル８０１の表面に付着する汚物を軽減させることができる。
【００３７】
制御部４０５は、使用者の操作に応じて操作部５００から人体洗浄の指示が入力される
と、電磁弁４３１を開くとともに、ビデ洗浄吐水口４７４ａ、やわらか洗浄吐水口４７４ｂ及びおしり洗浄吐水口４７４ｃのみを給水路２０ａに連通させるように流路切替部４７２を駆動する（タイミングｔ３）。
これにより、制御部４０５は、ノズル４７３を収納した状態で、給水源１０からビデ洗浄吐水口４７４ａ、やわらか洗浄吐水口４７４ｂ及びおしり洗浄吐水口４７４ｃへと至る導水部２０上の経路を洗浄する。
【００３８】
また、制御部４０５は、このタイミングで熱交換器４４０を動作させることにより、温水の生成を開始するとともに、紫外線照射部４６０の発光素子を点灯させ、ノズル４７３の吐水口から吐水された水Ｗに対する紫外線Ｓの照射を開始する。これにより、ノズル４７３の吐水口から吐水された水Ｗに含まれる菌を殺菌し、清潔な洗浄水をノズル４７３から供給することができる。
【００３９】
制御部４０５は、所定時間洗浄を行った後、ノズル洗浄室４７８のみを給水路２０ａに連通させるように流路切替部４７２を駆動するとともに、ノズルモータ４７６を駆動することにより、ノズル４７３の胴体洗浄を行いながらノズル４７３をボウル８０１内に進出させる（タイミングｔ４）。
【００４０】
制御部４０５は、ノズル４７３をボウル８０１内に進出させた後、ビデ洗浄吐水口４７４ａ、やわらか洗浄吐水口４７４ｂ及びおしり洗浄吐水口４７４のいずれか一方のみを給水路２０ａに連通させるように流路切替部４７２を駆動することにより、人体洗浄を開始する（タイミングｔ５）。
【００４１】
制御部４０５は、操作部５００から人体洗浄の停止が指示されると、ノズル洗浄室４７８のみを給水路２０ａに連通させるように流路切替部４７２を駆動するとともに、ノズルモータ４７６を駆動することにより、ノズル４７３の胴体洗浄を行いながらノズル４７３をケーシング４００内に収納する（タイミングｔ６）。
【００４２】
制御部４０５は、ノズル４７３の収納を完了させた後、ビデ洗浄吐水口４７４ａ、やわらか洗浄吐水口４７４ｂ及びおしり洗浄吐水口４７４ｃのみを給水路２０ａに連通させるように流路切替部４７２を駆動することにより、給水源１０からノズル４７３へと至る導水部２０上の経路を洗浄する（タイミングｔ７）。
【００４３】
制御部４０５は、所定時間洗浄を行った後、電磁弁４３１を閉じるとともに、熱交換器４４０及び紫外線照射部４６０の動作を停止させる（タイミングｔ８）。
【００４４】
次にノズル４７３の進退の動作機構について以下に説明する。
図４（ａ）は、図１に示すノズル４７３が備えられたノズルユニット４８０を示す斜視図であって、ノズル４７３が収納（伸出前）状態である場合を示す図である。図４（ｂ）は、図１に示すノズル４７３が備えられたノズルユニット４８０を示す斜視図であって、ノズル４７３が伸出状態である場合を示す図である。
【００４５】
図４（ａ）に示すように、ノズルユニット４８０は、ノズル４７３と、当該ノズル４７３を保持する取付台４８２と、衛生洗浄装置１００の制御により回転駆動するノズルモータ４８６と、当該ノズルモータ４８６の駆動により自転するタイミングベルト４８４と、を備える。
【００４６】
ノズル４７３は、取付台４８２によりガイドされ、一定の角度で伸出又は収納する。な
お、ノズル４７３は、ノズルモータ４７６の回転力がタイミングベルト４８４を介して直線の力として伝わることで、直線方向に移動する。
【００４７】
ノズル４７３は、着座検知センサ４０４が便座２００に座った使用者を検知していない場合においては、汚染を防止するために、便器８００のボウル８０１内に出ないように収納されている。そして、図４（ｂ）に示すように、ノズル４７３は、着座検知センサ４０４が便座２００に座った使用者を検知している場合において、例えば、さらに使用者が、操作部５００を操作すると、ノズルモータ４７６の駆動によりノズル４７３が収納状態から便器８００のボウル８０１内に伸出される。また、ノズル４７３の清掃やメンテナンスを行う場合においては、着座検知センサ４０４が便座２００に座った使用者を検知していない場合においても、ノズル４７３がボウル８０１内に伸出される。
【００４８】
次に、図５乃至図６にて本発明の実施形態における衛生洗浄装置の要部構成について以下に説明する。
【００４９】
図５は、図４に示すノズルユニットからノズルを取り出したときの該ノズルを示す斜視図である。
【００５０】
図５に示すように、ノズル４７３は、一軸方向としてＡ軸方向に長い略筒形状である。このＡ軸方向は、ノズル４７３の伸出方向と同じ方向である。また、Ａ軸方向は、ノズル４７３の中心軸Ｏに沿っている。
【００５１】
ノズル４７３は、Ａ軸方向の先端部に、ビデ洗浄吐水口４７４ａ、おしり洗浄吐水口４７４ｃ、やわらか洗浄吐水口４７４ｂが設けられたノズル本体４７３ａと、該ノズル本体４７３ａを覆うノズルカバー４７３ｂと、を備えている。
ノズルカバー４７３ｂはビデ洗浄吐水口４７４ａ、おしり洗浄吐水口４７４ｃ、やわらか洗浄吐水口４７４ｂより吐水される水と干渉しないように、１つの略楕円形状の開口４７３１ｂを有している。
【００５２】
これら吐水口は、ノズル４７３が衛生洗浄装置１００に装着されている状態においてノズル４７３の先端部の上面部となる部分に、Ａ軸方向に沿って設けられている。
【００５３】
ノズルカバー４７３ｂは、ノズル本体４７３ａに前方から嵌めこまれており、ノズル本体４７３ａとノズルカバー４７３ｂとの嵌め込まれている箇所の分割ライン４８６は、ノズル４７３の基端部（Ａ軸方向の基端部）に位置している。このノズルカバー４７３ｂは、分割ライン４８６にて着脱可能に構成されている。
【００５４】
次に、紫外線照射部４６０にて、ビデ洗浄吐水口４７４ａ、おしり洗浄吐水口４７４ｃ、やわらか洗浄吐水口４７４ｂから吐水された水Ｗに対して、紫外線Ｓを照射しているイメージについて説明する。
図６は、本発明の実施形態におけるノズル４７３の内部構造を模式的に表した断面図である。
【００５５】
図６に示すように、ノズル本体４７３ａは、おしり洗浄流路２１、やわらか洗浄流路２２、ビデ洗浄流路２３と、該複数の流路とそれぞれ連通するおしり洗浄吐水口４７４ｃ、やわらか洗浄吐水口４７４ｂ、ビデ洗浄吐水口４７４ａを備えている。
本実施形態では、ノズル本体４７３ａは、複数の流路と複数の吐水口を備えているが、少なくとも１つの流路と吐水口から構成されていれば良い。
【００５６】
紫外線照射部４６０は、ノズル本体４７３ａと、ノズルカバー４７３ｂと、の間に設けられている。
紫外線照射部４６０は、紫外線照射部４６０から照射した紫外線Ｓが、上記した複数の吐水口から吐水された水Ｗに照射されるように配置されている。
このように、紫外線照射部４６０は、複数の吐水口のうち、どの吐水口から吐水が行われた場合であっても吐水された水Ｗに対して紫外線Ｓの照射をすることが可能であり、水Ｗを殺菌することができる。
従って、複数の流路から吐水される水Ｗに対して、それぞれに紫外線照射部４６０を設ける必要がない。
【００５７】
また、紫外線照射部４６０はノズルカバー４７３ｂに覆われているので、外部から汚れが付着することを防止できるとともに、紫外線照射部４６０にノズル４７３外部から水がかかることを抑制でき、故障を防ぐことができる。
なお、本実施形態では、ノズル本体４７３ａの複数の吐水口から吐水された水Ｗは、そのまま上方に設けられた開口よりノズル４７３外部に吐水されるが、紫外線Ｓを透過する透明の管を複数の吐水口から開口までそれぞれ設けても良い。このようにすることで、ノズルカバー４７３ｂ内部に水が漏れることを抑制できる。
【００５８】
また、ノズルカバー４７３ｂにより紫外線Ｓがノズル４７３の外部へ漏れないように覆っているため、紫外線Ｓが外部に漏れづらく、一般に樹脂製の部材である便座２００や便蓋３００などに紫外線Ｓが照射されてしまうことで部材が劣化することを抑制することができる。
【００５９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、紫外線照射部４６０はケーシング４００に直接取り付けられていても良い。
【符号の説明】
【００６０】
１０  給水源
２０  導水部
２０ａ  給水路
２１  おしり洗浄流路
２２  やわらか洗浄流路
２３  ビデ洗浄流路
２４  表面洗浄流路
１００  衛生洗浄装置
２００  便座
３００  便蓋
４００  ケーシング
４０１  電源回路
４０４  着座検知センサ
４０５  制御部
４３１  電磁弁
４４０  熱交換器
４４２  流量センサ
４６０  紫外線照射部
４７１  流量調整部
４７２  流路切替部
４７３  ノズル
４７３ａ  ノズル本体
４７３ｂ  ノズルカバー
４７３１ｂ  開口
４７４ａ  ビデ洗浄吐水口
４７４ｂ  やわらか洗浄吐水口
４７４ｃ  おしり洗浄吐水口
４７６  ノズルモータ
４７８  ノズル洗浄室
４８０  ノズルユニット
４８２  取付台
４８４  タイミングベルト
４８６  分割ライン
８００  便器
８０１  ボウル
Ｏ  ノズルの中心軸
【図１】
2019056249.tif 000003
【図２】
2019056249.tif 000004
【図３】
2019056249.tif 000005
【図４】
2019056249.tif 000006
【図５】
2019056249.tif 000007
【図６】
2019056249.tif 000008